(57)【要約】      （修正有）【課題】便容器内における固形物と分離された液状し尿を排出することができる固液分離手段を備えた簡易トイレを提供する。【解決手段】便容器内には、液状し尿を外部に排出する排出管９と連通された固液分離手段１０を設け、固液分離手段１０は、下部に流入孔１７が貫設されかつ中間の所定部位に排出管９がほぼ横方向に連通可能に連結された外筒体１１、  外筒体１１内に回転動作に従って液状し尿を上昇方向への移送可能な螺旋状羽根２０が形成された排出螺旋軸体１２、排出螺旋軸体１２を回転操作する操作部材１３と、外筒体１１の流入孔１７の外側周囲に所定の間隔をおいて対向されかつ排出螺旋軸体１２とともに流入孔１７の外側周囲に沿って回転される目詰り防止用の回転翼２０を備え、排出螺旋軸体１２の回転によって流入孔１７から外筒体１１内に流入された液状し尿を積極的に上位に導いて排出管９から排出するように構成する。【選択図】図５
2007098016.tif 000002
【特許請求の範囲】
【請求項１】
設置面より所定の高さで支持されかつ便器を設けた床と、この床の下部において便器下方に対応して配設された便容器と、前記床の上方側周及び上面を遮蔽して所望の区間部を形成する遮蔽部材とを備えた簡易トイレであって、
前記便容器内には、液状し尿を外部に排出する液状し尿用の排出管と連通された固液分離手段を設け、
この固液分離手段は、前記床下面に垂下状に装設され、下部に流入孔が貫設されかつ中間の所定部位に前記液状し尿用の排出管がほぼ横方向に連通可能に連結された外筒体と、
該外筒体内に回転可能に支承されかつ回転動作にしたがって上昇方向への移送可能な螺旋状羽根が形成された排出螺旋軸体と、
この排出螺旋軸体と連結されて該排出螺旋軸体を前記床面上方側から回転操作する操作部材と、
前記外筒体の流入孔の外側周囲に所定の間隔をおいて対向されかつ前記排出螺旋軸体とともに該流入孔の外側周囲に沿って回転される目詰り防止用の回転翼と、
を備え、前記排出螺旋軸体の回転によって流入孔から外筒体内に流入された液状し尿を積極的に上位に導いて排出管から排出するように構成されていることを特徴とする簡易トイレ。
【請求項２】
請求項１記載の簡易トイレであって、前記外筒体が前記床に対し支持ブラケットを介して垂下状態から該床下面に沿う方向に折り畳み可能に構成され、この外筒体の折り畳み部位とほぼ同部位に前記排出螺旋軸体と前記操作部材との連結部を形成して前記排出螺旋軸体が直線状の連結状態から前記床下面に沿う方向に折り畳み可能に構成されていることを特徴とする簡易トイレ。
【請求項３】
請求項１記載の簡易トイレであって、前記外筒体には、前記液状し尿用の排出管の連結部位より上方に位置されたオーバーフロー用流入孔が貫設され、前記流入孔及びオーバーフロー用流入孔にはフィルター部材が設けられていることを特徴とする簡易トイレ。
【発明の詳細な説明】
【技術分野】
【０００１】
本発明は、災害時等に使用される組立て式の簡易トイレ、とくに液状し尿を分離して外部に排出する固液分離手段を備えた簡易トイレに関する。
【背景技術】
【０００２】
従来、この種の範囲トイレは、災害時等の際に、被災地等に搬送されてその場所において組み立てられて使用されるものであり、脚で支持された床に便器を設けるとともに、床の下部の便器下方に排泄物を収容する便容器を設け、その四側周面及び上面に対応して枠フレームを骨組み構成し、この枠フレーム間にシートを張設して該四側周面及び上面を遮蔽し、その一側周に出入り用の扉を設けるように構成されている。
そして、前記便容器内においては、堆積固形物と液状し尿とを分離する固液分離器と、該固液分離器に連結されて前記液状し尿を外部に排出する液状し尿排出管とが設けられていた。（特許文献１参照）
【特許文献１】特開平９−１８７３９９号
【発明の開示】
【発明が解決しようとする課題】
【０００３】
しかしながら、上記した従来の固液分離器にあっては、前記便容器内において固形物と分離された液状し尿のみをその流入孔から液状し尿排水管に排出するように構成され、該流入孔に固形物が詰まって液状し尿の排出に支障が生じた場合には、該液状し尿排水管に外力を加えて固液分離器全体を急激に大きく揺り動かして流入孔を閉塞している固形物振り落として固液分離器における流入孔の開放状態を維持するように構成されているため、前記したように流入孔に固形物が詰まって液状し尿の排出に支障が生じた場合には、外部からいちいち固液分離器全体を急激に大きく揺り動かさなくてはならず、その作業はきわめて面倒かつ煩わしいものとなり、簡易トイレの使用に対する利便性を大きく阻害する問題点を惹起していた。
そこで、本発明は、上記した従来の問題点に鑑み、便容器内における固形物と分離された液状し尿を簡単な操作で確実に排出することができる固液分離手段を備えた簡易トイレを提供することを課題とする。
【課題を解決するための手段】
【０００４】
上記した課題は、各請求項記載の発明によって解決される。
すなわち、請求項１記載の発明は、設置面より所定の高さで支持されかつ便器を設けた床と、この床の下部において便器下方に対応して配設された便容器と、前記床の上方側周及び上面を遮蔽して所望の区間部を形成する遮蔽部材とを備えた簡易トイレであって、
前記便容器内には、液状し尿を外部に排出する液状し尿用の排出管と連通された固液分離手段を設け、
この固液分離手段は、前記床下面に垂下状に装設され、下部に流入孔が貫設されかつ中間の所定部位に前記液状し尿用の排出管がほぼ横方向に連通可能に連結された外筒体と、
該外筒体内に回転可能に支承されかつ回転動作にしたがって上昇方向への移送可能な螺旋状羽根が形成された排出螺旋軸体と、
この排出螺旋軸体と連結されて該排出螺旋軸体を前記床面上方側から回転操作する操作部材と、
前記外筒体の流入孔の外側周囲に所定の間隔をおいて対向されかつ前記排出螺旋軸体とともに該流入孔の外側周囲に沿って回転される目詰り防止用の回転翼と、
を備え、前記排出螺旋軸体の回転によって流入孔から外筒体内に流入された液状し尿を積極的に上位に導いて排出管から排出するように構成されていることを要旨とする。
【０００５】
この発明にあっては、便容器内において大便等の固形物と分離された液状し尿を、固液分離手段における外筒体内に流入孔から流入させ、操作部材の回転操作により排出螺旋軸体を上昇移送方向に回転することによって、該外筒体内の上方に積極的に導いて排出管から外部に排出するものである。そして、排出螺旋軸体とともに回転される回転翼により流入孔を閉塞しようとする固形物を排除することができる。
【０００６】
請求項２記載の発明は、請求項１記載の簡易トイレであって、前記外筒体が前記床に対し支持ブラケットを介して垂下状態から該床下面に沿う方向に折り畳み可能に構成され、この外筒体の折り畳み部位とほぼ同部位に前記排出螺旋軸体と前記操作部材との連結部を形成して前記排出螺旋軸体が直線状の連結状態から前記床下面に沿う方向に折り畳み可能に構成されていることを要旨とする。
【０００７】
この発明にあっては、床の下面に垂下状に設けられる固液分離手段において、その外筒体及び排出螺旋軸体を該床の下面側に沿って折り畳み可能とすることにより、組立て式の簡易トイレにあって、その梱包、運搬、保管等の取扱いを簡単かつ容易になし得るものである。
【０００８】
請求項３記載の発明は、請求項１または２記載の簡易トイレであって、前記外筒体には、前記液状し尿用の排出管の連結部位より上方に位置されたオーバーフロー用流入孔が貫設され、前記流入孔及びオーバーフロー用流入孔にはフィルター部材が設けられていることを要旨とする。
【０００９】
この発明にあっては、排出螺旋軸体を回転操作することなく、便容器内に溜められた液状し尿を、排出管の連結部位より上方に位置したオーバーフロー用流入孔から外筒体内に流入させて該排出管に導入して外部に排出するものである。そして、各流入孔に設けたフィルター部材により外筒体内には液状し尿のみが流入されるものであり、該外筒体内における詰まりを無くし液状し尿のみを排出管から円滑に外部に排出するものである。
【発明の効果】
【００１０】
請求項１記載の発明によれば、流入孔から外筒体内に流入された液状し尿を排出管に積極的に導いて該排出管から外部に排出することができ、固形物による流入孔の部位におけ閉塞状態を未然に防止して液状し尿を流入孔から外筒体内に円滑に流入させることができる。
【００１１】
請求項２記載の発明によれば、固液分離手段における外筒体及び排出螺旋体を床の下面側に沿って折り畳むことができ、組立て式の簡易トイレにあって、その梱包、運搬、保管等の取扱いを簡単かつ容易になし得る。
【００１２】
請求項３記載の発明によれば、排出螺旋体を回転操作することなく、便容器内に溜められた液状し尿を、外筒体内に流入させて該排出管に導入して外部に排出することができ、該外筒体内に液状し尿のみの流入を可能とすることができ、該外筒体内における詰まりを未然に防止して液状し尿のみを排出管から円滑に外部に排出することができる。
【発明を実施するための最良の形態】
【００１３】
次に、本発明を実施するための最良の形態について、実施例にしたがって説明する。
【実施例】
【００１４】
図１〜図９に示すように、本実施例の簡易トイレ１は、例えば、組立て式に構成されており、大別すると、脚片２〜２により設置面より所定の高さでほぼ水平状に支持された床３と、該床３のほぼ中央部に設けられた便器４と、前記床３の下部において該便器４下方に対応して配設された排泄物を収容する袋状の便容器５と、前記床３の上方の前後左右側周及び上面を遮蔽して所望の空間区間部を形成する組立て式の枠フレーム６に張設された遮蔽部材７とから構成されている。なお、前記脚片２〜２は折り畳み構成となし、後側の遮蔽部材７は出入り用として構成されている。また、床３上には便器４の両側に対向位置する手摺り８が設けられている。
【００１５】
前記便容器５内には、該便容器５内に溜められた大便等の固形物と分離された液状し尿を後述する排出管９を介して外部に放出するための固液分離手段１０が前記床３の下面から垂下状態で装設されている。
【００１６】
この固液分離手段１０は、所定の径の外筒体１１と、該外筒体１１内に回転可能に装設された排出螺旋軸体１２と、該排出螺旋軸体１２を前記床３の上面において回転操作するハンドル１３と、前記外筒体１１のほぼ中央部に横向きに連結された前記排出管９とを主体として構成されている。
【００１７】
前記外筒体１１は所定の長さの上下端が開口されたパイプ状に形成されていて、上端部が前記床３に下面に対し対の固定ブラケット１４、１４及び支軸１５、１５を介して垂下状態から該床３の下面に沿うほぼ水平状態への折り畳み（回動）可能に垂設され、その上端部の対向する２箇所には折り畳み時に前記排出螺旋軸体１２（ハンドル１３）の軸部が干渉しないように切欠き孔１６が形成され、下端部には対向する２箇所に液状し尿を外筒体１１内に流入する所定の径の流入孔１７、１７が貫設され、ほぼ中間部の前記排出管９との連結（連通）部位より上位位置にはオーバーフロー用流入孔１８が貫設されている。なお、液状し尿分離手段１０の外筒体１１は垂設状態において、その下端が床３の下方に配設された便容器５の底面より若干上位に位置して対向されている。
【００１８】
前記排出螺旋軸体１２は、軸部１９と該軸部１９の外周軸方向に沿って形成された螺旋状羽根２０とから構成されていて前記外筒体１１内の軸方向に沿って配設され、その軸部１９の下端が外筒体１１の下端から若干突出されている。そして、軸部１９の上端部には前記ハンドル１３に軸部の下端と連結するためにＬ状の段差部１９ａが切欠き形成されている。なお、排出螺旋軸体１２の螺旋状羽根２０は一方向の回転動作にしたがって上昇方向への移送可能な状態にその螺旋方向が設定されている。
【００１９】
前記ハンドル１３は、軸部材をほぼクランク状に曲折形成されており、その下方側の軸部が前記床３を貫通して支持部材２１により回転可能に支承され、該軸部の下端には前記排出螺旋軸体１２の軸部１９の段差部１９ａに対向する段差部１３ａが形成され、上方側の軸部上端には撮み部１３ｂが設けられている。
【００２０】
そして、排出螺旋軸体１２の軸部１９の段差部１９ａとハンドル１３の段差部１３ａとの部位で連結ピン２２を介して両者が回動可能に支承されている。これにより、排出螺旋軸体１２はハンドル１３との連結部位における連結ピン２２を支点として前記外筒体１１とともに床３の下面に沿うほぼ水平状態に折り畳み（回動）されるものである。
【００２１】
また、排出螺旋軸体１２とハンドル１３との連結部位の外周にはハンドル１３に対する排出螺旋軸体１２の折り畳み回動を許容したり阻止したりする所定の長さの連結筒２３が排出螺旋軸体１２の軸部１９上端部からハンドル１３の下方側の軸部下端部にわたって嵌合され、この連結筒２３は排出螺旋軸体１２の軸部１９に突設されたストッパピン２４により下方への移動が阻止されている。
【００２２】
しかして、連結筒２３が排出螺旋軸体１２の軸部１９上端部からハンドル１３の下方側の軸部下端部にわたって嵌合された状態では該排出螺旋軸体１２の軸部１９とハンドル１３の下方側の軸部とが直線状に連結され、連結筒２３が両者の結合部位からハンドル１３側に移動して該結合部位を開放した状態では連結部位における連結ピン２２を支点とする折り畳み（回動）が許容されるものである。
【００２３】
前記外筒体１１に形成された対の流入孔１７、１７、上位のオーバーフロー用流入孔１８及び前記排出管９と外筒体１１との連通箇所にはフィルター部材２５ａ、２５ｂ、２５ｃ、２５ｄが設けられている。また、該外筒体１１の下端開口部付近には前記排出螺旋軸体１２の軸部１９を貫通して下部メッシュフィルター部材２６が設けられている。
【００２４】
前記外筒体１１の下端から突出された排出螺旋軸体１２の軸部１９には、目詰り防止用の回転翼２７が該軸部１９とともに回転し得るように取付けられている。この目詰り防止用の回転翼２７は、前記軸部１９に固定された円板部と該円板部の外周の対向する部位から立ち上げられかつ前記外筒体１１の外周面、すなわち、流入孔１７、１７部位の外側面に所定の間隔をおいて対向された一対の翼片とから構成されている。
【００２５】
前記外筒体１１に連結された排出管９はほぼ水平方向に位置されるとともに前記床３の外側に向けて延在されており、その先端部には液状し尿を排出管９から該床３の外側部位に排出する排出用のフレキシブルホース２８が接続され、ほぼ中央部位には排出される液状し尿を滅菌するための滅菌剤を入れた滅菌剤カセット部材２９が該排出管９内に至るように抜脱可能に装設されている。
【００２６】
上述のように構成された本例の簡易トイレ１にあっては、脚片２〜２により設置面より所定の高さの床３に対してその下方全体に便容器５を設置するとともに、該床３に便器４を取付け、さらに、床３に対し、上部にハンドル１３を位置させかつ前記便容器５内に臨んだ固液分離手段１０全体を位置して、前記床３に対し枠フレーム６を枠組みし、該枠フレーム６に遮蔽部材７を張設してトイレとしての所望の空間区画部を得るように組立てられる。
【００２７】
この場合においては、固液分離手段１０全体が便容器５内にあって便器４の下方側部位置されるとともに、その外筒体１１の下端部が便容器５の底面より若干上位に位置されるものであり、また、固液分離手段１０における排出管９が便容器５の側壁に向う横（水平）方向に延在されてその端部に連結されたフレキシブルホース２８が該便容器５の外側に延出されるものである。
【００２８】
上記した状態において、通常の簡易トイレ１としてその使用に供されるものであり、該使用に伴って排泄物が便容器５内に逐次堆積されるとともに、この便容器５内の堆積された排泄物は、下方より上方にわたって固形物が堆積される沈殿層と、し尿等の液体層と、種々の浮遊物が位置される浮上層とに分離された堆積状態となり、前記固液分離手段１０の該外筒部はこの浮上層、液体層、沈殿層に埋没された状態となる。
【００２９】
前記液体層にあるし尿等の液体は、外筒体１１の下方の流入孔17から該外筒体１１内に順次流入され、その水位が排出管９との連通部位に達すると、該排出管９及びフレキシブルホース２８を経て便容器５の外部に排出される。
【００３０】
このとき、便容器５内における液体層の水位が外筒体１１のオーバーフロー用流入孔１８より上位に達している状態では、該液体層のし尿等の液体は外筒体１１におけるオーバーフロー用流入孔１８から該外筒体１１内に順次流入され、前述と同様に排出管９及びフレキシブルホース２８を経て便容器５の外部に排出される。
【００３１】
そして、簡易トイレ１の使用に際してその使用者が床３から膨出しているハンドル１３を一方向（排出螺旋軸体１２の螺旋状羽根２０における上昇方向に移送する回転方向）に回転操作すると、該ハンドル１３に連結された排出螺旋軸体１２が一体的に回転され、この排出螺旋軸体１２とともに螺旋状羽根２０が上昇方向に移送する方向に回転されるので、外筒体１１内の液体は、該螺旋状羽根２０の回転によってその上昇方向への移送が案内されるとともに前記排出管９との連通部位に積極的に流出（排出）されるものである。
【００３２】
この場合、排出螺旋軸体１２とともに目詰り防止用の回転翼２７が外筒体１１の流入孔１７の対向する外側周りに沿って回転されているため、該回転する回転翼２７によって流入孔１７に流入されようとする沈殿層における固形物の流入を阻止することができ、該流入孔１７における目詰りを未然に防止し得るとともに、流入孔１７からの液体の流入を円滑になし得る。これによって、便容器５内のし尿等の液体のみを確実に排出できるものである。
【００３３】
また、外筒体１１において液体が流入する流入孔１７、１７、上位のオーバーフロー用流入孔１８及び前記排出管９と外筒体１１との連通箇所にはフィルター部材２５ａ、２５ｂ、２５ｃ、２５ｄが設けられ、さらに、該外筒体１１の下端開口部付近には下部メッシュフィルター部材２６が設けられているため、外筒体１１内に液体とともに流入される浮遊物や固形物の流入を阻止することにより、外筒体１１内における液体の流れを円滑にするとともに、し尿等の液体のみを外部に排出することができる。
【００３４】
さらに、排出管９から排出される液体を該排出管９に設けた滅菌剤を入れた滅菌剤カセット部材２９を通過させることにより、排出管９及びフレキシブルホース２８を経て便容器５の外部に排出される液体の衛生上の問題を解消することできる。
【００３５】
そして、本実施例にあっては、排出螺旋軸体１２の軸部１９とハンドル１３との連結部位を連結ピン２２を介して回転伝達可能に連結及び折り畳み可能に構成することによって外筒体１１とともに排出螺旋軸体１２を床３の下面に沿うほぼ水平状態に折り畳み（回動）できるとともに、ハンドル１３を床３の上面に沿うほぼ水平状態に折り畳み（回動）でき、組立て前における簡易トイレ１全体の梱包、運搬、保管等の取扱いを簡単かつ容易になし得るものである。
【００３６】
なお、本実施例においては、簡易トイレとしての全体の形態は、図示のものに限定するものではない。
【図面の簡単な説明】
【００３７】
【図１】本発明の一実施例の形態を示す一部破断を含む斜視図である。
【図２】枠フレームの遮蔽部材を取り除いた平面図である。
【図３】固液分離手段の取付け状態の概要を示す説明図である。
【図４】同じく、固液分離手段の取付け状態の概要を示す説明図である。
【図５】固液分離手段を示す概略図である。
【図６】図５のＡ部を示す拡大断面図である。
【図７】図６のＢ部を示す拡大断面図である。
【図８】図５のＣ部を示す拡大断面図である。
【図９】図８のＤ−Ｄ線断面図である。
【符号の説明】
【００３８】
１  簡易トイレ
３  床
４  便器
５  便容器
９  排出管
１０  固液分離手段
１１  外筒体
１２  排出螺旋軸体
１７  流入孔
２０  螺旋状羽根
【図１】
2007098016.tif 000003
【図２】
2007098016.tif 000004
【図３】
2007098016.tif 000005
【図４】
2007098016.tif 000006
【図５】
2007098016.tif 000007
【図６】
2007098016.tif 000008
【図７】
2007098016.tif 000009
【図８】
2007098016.tif 000010
【図９】
2007098016.tif 000011